(57)【要約】【課題】本発明は、このようなレイトコリジョンエラーの発生を回避するためなされたもので、無線基地局装置内でベースバンド制御部リセットを契機に発生するレイトコリジョンエラーの発生を回避し、通信網内の伝送品質低下を防ぐことが出来る通信制御装置を提供する。【解決手段】  保守・監視機能部よりベースバンド制御部へリセット要求信号を発生するに際し、前記保守・監視機能部より呼処理制御部へリセット前処理要求信号を送信し、リセット前処理要求信号を受信した呼処理制御部は、ベースバンド制御部へのデータ送信を一時停止し、前記リセット要求信号を受信したベースバンド制御部は、ベースバンド制御部カードのリセット処理を実施し、前記呼制御部はベースバンド制御部へのデータ送信を一定時間停止た後、通信制御機能により、データ送信を行うことを特徴とする。【選択図】図２
2006254283.tif 000002
【特許請求の範囲】
【請求項１】
保守・監視機能部よりベースバンド制御部へリセット要求信号を発生するに際し、前記保守・監視機能部より呼処理制御部へリセット前処理要求信号を送信し、リセット前処理要求信号を受信した呼処理制御部は、ベースバンド制御部へのデータ送信を一時停止し、前記リセット要求信号を受信したベースバンド制御部は、ベースバンド制御部カードのリセット処理を実施し、前記呼制御部はベースバンド制御部へのデータ送信を一定時間停止た後、通信制御機能により、データ送信を行うことを特徴とする通信制御装置。
【発明の詳細な説明】
【技術分野】
【０００１】
この発明は、通信制御機能を有する無線基地局において、レイトコリジョンエラーの発生を回避する技術に関するものである。
【背景技術】
【０００２】
無線基地局装置内においてＬＡＮ（Ｌｏｃａｌ  Ａｒｅａ  Ｎｅｔｗｏｒｋ）経由でカード間通信を行なっている機能部（以下ベースバンド制御部、保守・監視制御部、呼制御部）があるが、保守・監視制御部からベースバンド制御部へリセット要求を出し、ベースバンド制御部がリセットした際に通信網内にキャリアセンス（使用するチャネルが空いているか否か調べる信号）信号とコリジョン（コリジョンとは、同一の伝送路に異なる端末からほぼ同時にデータが送出されることによって発生する信号の衝突現象のことであり、信号が衝突すると異常な電気信号が発生されるためにデータが破損してしまう。）信号が発生していた。この時、呼処理制御部から出力されている送信データと前記信号が衝突すると、呼処理制御部にて、通常ありえない致命的なエラーである、レイトコリジョンエラーを検出していた。そのレイトコリジョンエラーの発生を契機に通信網内の伝送品質が一時低下していた。
【０００３】
従来の技術について、図面を用いて説明する。図１は、従来のレイトコリジョンエラー発生の概略図である。図は、保守・監視制御部、呼処理制御部、ベースバンド制御部の関係について記載している。まず、保守・監視制御部４からベースバンド制御部２へリセット要求１が送信される。このリセット要求１をベースバンド制御部２が受け付け、ベースバンド制御部カードにリセット処理を行なう。このリセット処理を契機に通信網内にキャリアセンス信号とコリジョン信号３が発生してしまっていた。
【０００４】
また、他の従来の技術として、例えば、特開平１０−５６４７０号公報に記載されているように、コリジョン発生確率を減少させ、有効にＬＡＮ帯域を活用することが出来るネットワーク通信装置の技術について開示されている。
【０００５】
【特許文献１】特開平１０−５６４７０号公報
【発明の開示】
【発明が解決しようとする課題】
【０００６】
本発明は、このようなレイトコリジョンエラーの発生を回避するためなされたもので、無線基地局装置内でベースバンド制御部リセットを契機に発生するレイトコリジョンエラーの発生を回避し、通信網内の伝送品質低下を防ぐことが出来る通信制御装置を提供することを目的とする。
【課題を解決するための手段】
【０００７】
本発明は、保守・監視機能部よりベースバンド制御部へリセット要求信号を発生するに際し、前記保守・監視機能部より呼処理制御部へリセット前処理要求信号を送信し、リセット前処理要求信号を受信した呼処理制御部は、ベースバンド制御部へのデータ送信を一時停止し、前記リセット要求信号を受信したベースバンド制御部は、ベースバンド制御部カードのリセット処理を実施し、前記呼制御部はベースバンド制御部へのデータ送信を一定時間停止た後、通信制御機能により、データ送信を行うことを特徴とする通信制御装置である。
【発明の効果】
【０００８】
本発明により、無線基地局内でベースバンド制御部のリセットを契機に発生するレイトコリジョンエラーの発生を回避し、通信網内の伝送品質の低下を防ぐという効果が生じる。
【発明を実施するための最良の形態】
【０００９】
以下本発明の実施の形態について、添付図面に基づいて説明する。図２はこの発明に係るレイトコリジョンエラー発生回避の概略図である。本図は、保守・監視制御部、呼処理制御部、ベースバンド制御部の関係について記載している。
【００１０】
まず、保守・監視制御部２１内にてベースバンド制御部２５へリセット要求２４が発生する。この際にリセット要求２４をベースバンド制御部２５へ送信する前に呼処理制御部へリセット前処理２２を送信しているが、呼処理制御部のリセット前処理２２にて、送信一時停止支援タスク２３を起動し、呼処理制御部の通信制御機能によるデータ送信を一時停止する。
【００１１】
データ送信の一時停止は保守・監視制御部２１がベースバンド制御部２５へリセット要求２４を送信し、ベースバンド制御部２５がリセット処理を行い、キャリアセンス信号とコリジョン信号が発生し終わるまでの十分余裕を持たせた時間を設定している。
【００１２】
保守・監視制御部２１は、呼処理制御部へリセット前処理要求２２を送信した後、ベースバンド制御部２５にリセット要求２４を送信する。その後、ベースバンド制御部２５がリセット処理を行い、通信網内にキャリアセンス信号とコリジョン信号が発生するが、この時、呼処理制御部は通信制御機能によるデータ送信を停止しているので、呼処理制御部のレイトコリジョンエラーの発生は無い。そして、通信網内のキャリアセンス信号とコリジョン信号発生終了後、呼処理制御部の通信制御機能によるデータ送信を再開している。これにより呼処理制御部のレイトコリジョンエラー検出に伴う通信網内の伝送品質の一時低下を防ぐことが出来る。
【００１３】
図３は、本発明のレイトコリジョンエラー発生回避のシーケンス図である。本図より、ベースバンド制御部カードリセット前の１００ｍｓからベースバンド制御部カードリセット後の３００ｍｓの間、呼処理制御部の通信制御機能によるデータ送信を停止していることが確認できる。
【００１４】
以上説明したように、本発明により、無線基地局装置内でベースバンド制御部のリセットを契機に発生していたレイトコリジョンエラーの発生を回避し、通信網内の伝送品質の一時低下を防ぐことが可能となる。
【図面の簡単な説明】
【００１５】
【図１】従来のレイトコリジョンエラー発生の概略を示す
【図２】本発明のレイトコリジョンエラー発生回避の概略を示す
【図３】本発明のレイトコリジョンエラー発生回避のシーケンスを示す
【符号の説明】
【００１６】
４      保守・監視制御カード
２３    送信一時停止支援タスク
２５      ベースバンド制御部
【図１】
2006254283.tif 000003
【図２】
2006254283.tif 000004
【図３】
2006254283.tif 000005